(57)【要約】      （修正有）【課題】部品製作上の面における機械加工が簡単で製作も短時間で良いものとなり、また、１つのスライド装置に必要な部品点数が大幅に削減できるので、部品管理の面においても好都合である伸縮ブームのスライド装置を提供する。【解決手段】略Ｕ字状の下部形状を持つ筒状の外側ブーム１１内に同様の下部形状を持つ筒状の内側ブーム１２を伸縮自在に嵌挿してなる伸縮ブームの、外側ブーム１１の先端部に配置されて内側ブーム１２の下部外側面に摺接して内側ブーム１２をスライド自在に支持する伸縮ブームのスライド装置１３であって、長方形平板状のスライドプレート母材の平板面に、長方形の一辺に平行な溝を形成したスライドプレート構成体１４と、溝に沿って折り曲げられたスライドプレート構成体１４を前記外側ブーム１１の先端部に保持するスライドプレート保持手段２０と、を備えた。【選択図】図３
2008265980.tif 000002
【特許請求の範囲】
【請求項１】
略Ｕ字状の下部形状を持つ筒状の外側ブーム内に同様の下部形状を持つ筒状の内側ブームを伸縮自在に嵌挿してなる伸縮ブームの、前記外側ブームの先端部に配置されて前記内側ブームの下部外側面に摺接して内側ブームをスライド自在に支持する伸縮ブームのスライド装置であって、
長方形平板状のスライドプレート母材の平板面に、前記長方形の一辺に平行な溝を形成したスライドプレート構成体と、
前記溝に沿って折り曲げられた前記スライドプレート構成体を、前記外側ブームの先端部に保持するスライドプレート保持手段と、を備えたことを特徴とする伸縮ブームのスライド装置。
【請求項２】
前記スライドプレート母材の一方の平板面に前記溝を複数形成したスライドプレート構成体が、前記溝が形成された側の面が閉じるよう折り曲げられたことを特徴とする請求項１に記載の伸縮ブームのスライド装置。
【請求項３】
前記平板面の溝と直交する前記スライドプレート母材の端面に、前記平板面に平行に溝を形成したスライドプレート構成体と、
前記端面の溝に嵌入され前記スライドプレート構成体と一体に折り曲げられる抜け止め材と、を備えたことを特徴とする請求項３に記載の伸縮ブームのスライド装置。
【請求項４】
略Ｕ字状の下部形状を持つ筒状の外側ブーム内に同様の下部形状を持つ筒状の内側ブームを伸縮自在に嵌挿してなる伸縮ブームの、前記内側ブームの基端部に配置されて前記外側ブームの下部内側面に摺接して内側ブームがスライド自在に支持される伸縮ブームのスライド装置であって、
長方形平板状のスライドプレート母材の平板面に、前記長方形の一辺に平行な溝を形成したスライドプレート構成体と、
前記溝に沿って折り曲げられた前記スライドプレート構成体を、前記内側ブームの基端部に保持するスライドプレート保持手段と、を備えたことを特徴とする伸縮ブームのスライド装置。
【発明の詳細な説明】
【技術分野】
【０００１】
本発明は、略Ｕ字状の下部形状を持つ伸縮ブームに好適なスライド装置に関する。
【背景技術】
【０００２】
近年軽量でありながらも十分な強度を備えた伸縮ブームの要請から、略Ｕ字状の下部形状を持つ伸縮ブームが開発され実用化されている。本願出願人は、そのような伸縮ブームに適するスライド装置を提案している（例えば、特許文献１参照。）。
【０００３】
図１３は特許文献１に記載された外側ブーム先端下部スライド装置を装備した伸縮ブームの側面図であり、図１４は図１３のＡ−Ａ矢視断面拡大図であり、図１５は図１３の外側ブーム先端部の拡大断面図である。
【０００４】
特許文献１の移動式クレーン等の伸縮ブームは、略Ｕ字上の下部形状を持つ筒状の外側ブーム１内に同様の下部形状を持つ筒状の内側ブーム２を伸縮自在に嵌挿して構成されている。そして、特許文献１のスライド装置は、前記外側ブーム１の先端部に配置されて前記内側ブーム２の下部外側面に摺接して内側ブーム２をスライド自在に支持する外側ブーム先端の下部スライド装置を対象としている。
さらに、前記スライド装置は、前記外側ブーム先端部の下部内側に配置され対向する内側ブーム２の下部外周面に摺接するスライド手段４と、当該スライド手段４を外側ブーム先端部の下部内側に定位する移動規制手段５とで構成されている。
【０００５】
前記スライド手段４は、各先端端面を外側ブーム１の先端端面に略一致させると共に各幅方向側縁を互いに近接させて外側ブーム１の内周方向に連続配置した多数の直方体短冊状のスライドプレート単位体４ａで構成されている。
【特許文献１】特開２００５−２５５３３７号公報（第５−８頁、第１−３図）
【発明の開示】
【発明が解決しようとする課題】
【０００６】
ところが、上述したスライド装置は、下記のような課題を有していた。
（１）スライド手段４が多数の直方体短冊状のスライドプレート単位体４ａで構成されているので、スライドプレート母材から同一形状のスライドプレート単位体を多数切り出したのち、その切り出した単位体をそれぞれ機械加工する必要があった。そのため、１個のスライドプレート単位体を製作するために要する時間が長くコストが掛かった。
（２）また、外側ブーム１内に内側ブーム２を嵌挿したうえで、多数のスライドプレート単位体４ａを１個ずつ各先端端面が外側ブーム１の先端端面に略一致させると共に各幅方向側縁を互いに近接させて外側ブームの内周方向に連続配置させていく必要があった。そのため、その組立て作業は非常に面倒であり時間が掛かった。
（３）さらに、内側ブーム２の下部外側面とスライド手段との隙間調整は、前記スライドプレート単位体４ａの１個ずつについてほぼ同一形状のシムをそれぞれ必要枚数スライドプレート単位体４ａと外側ブーム１先端部下部内側との間に挿入して行うものであった。そのため、その隙間調整も非常に面倒であり時間が掛かるものであった。
【０００７】
そこで、本発明は、上記課題を解決することができる伸縮ブームのスライド装置を提供しようとするものである。
【課題を解決するための手段】
【０００８】
請求項１の発明は、略Ｕ字状の下部形状を持つ筒状の外側ブーム内に同様の下部形状を持つ筒状の内側ブームを伸縮自在に嵌挿してなる伸縮ブームの、前記外側ブームの先端部に配置されて前記内側ブームの下部外側面に摺接して内側ブームをスライド自在に支持する伸縮ブームのスライド装置であって、長方形平板状のスライドプレート母材の平板面に、前記長方形の一辺に平行な溝を形成したスライドプレート構成体と、前記溝に沿って折り曲げられた前記スライドプレート構成体を、前記外側ブームの先端部に保持するスライドプレート保持手段と、を備えたことを特徴とする。
【０００９】
請求項２の発明は、請求項１の発明に加えて、前記スライドプレート母材の一方の平板面に前記溝を複数形成したスライドプレート構成体が、前記溝が形成された側の面が閉じるよう折り曲げられたことを特徴とする。
【００１０】
請求項３の発明は、請求項２の発明に加えて、前記平板面の溝と直交する前記スライドプレート母材の端面に、前記平板面に平行に溝を形成したスライドプレート構成体と、前記端面の溝に嵌入され前記スライドプレート構成体と一体に折り曲げられる抜け止め材と、を備えたことを特徴とする。
【００１１】
請求項４の発明は、略Ｕ字状の下部形状を持つ筒状の外側ブーム内に同様の下部形状を持つ筒状の内側ブームを伸縮自在に嵌挿してなる伸縮ブームの、前記内側ブームの基端部に配置されて前記外側ブームの下部内側面に摺接して内側ブームがスライド自在に支持される伸縮ブームのスライド装置であって、長方形平板状のスライドプレート母材の平板面に、前記長方形の一辺に平行な溝を形成したスライドプレート構成体と、前記溝に沿って折り曲げられた前記スライドプレート構成体を、前記内側ブームの基端部に保持するスライドプレート保持手段と、を備えたことを特徴とする。
【発明の効果】
【００１２】
請求項１の発明では、前記スライドプレート構成体が、長方形平板状のスライドプレート母材の平板面に前記長方形の一辺に平行な溝を形成して構成するものなので、従来の特許文献１のスライド装置の多数のスライドプレート単位体と比較して、部品製作上の面における機械加工が簡単で製作も短時間で良いものとなる。また、１つのスライド装置に必要な部品点数が大幅に削減できるので、部品管理の面においても好都合である。
【００１３】
さらに、請求項１の発明では、前記スライドプレート構成体が長方形平板状のスライドプレート母材の平板面に、前記長方形の一辺に平行な溝を形成して構成されているので、当該溝に沿って容易に内側ブームの略Ｕ字状の下部外側面に沿うよう折り曲げることができる。そして、外側ブームの先端部に配置することにより前記内側ブームの下部外側面に摺接して内側ブームをスライド自在に支持することができる。そのため、従来の特許文献１のスライド装置が多数のスライドプレート単位体を１枚ずつ組付けていくものであるため非常に組立てに時間が掛かるものであるのに対して、請求項１のスライド装置は１個のスライドプレート構成体のみを組付ければよいので、その組立て作業が非常に短時間で効率的なものとなる。
【００１４】
また、請求項１の発明に係るスライド装置を用いた伸縮ブームの隙間調整は、厚さの異なるスライドプレート構成体１４を複数用意しておき、最適な厚さのものを選択することにより行うことができる。その際に、１枚の一体のスライドプレート構成体を交換すれば良いので、非常に短時間でスムーズに行うことが可能である。そのため、内側ブームの下部外側面とスライド手段との隙間調整が容易かつ確実に行えるものとなる。
【００１５】
請求項２の発明では、前記スライドプレート母材の一方の平板面に前記溝を複数形成したスライドプレート構成体が、前記溝が形成された側の面が閉じるように折り曲げられるので、折り曲げられたスライドプレート構成体がより内側ブームの略Ｕ字形状の下部形状に沿った形状となることができる。それにより、スライドプレート構成体と内側ブーム下部外側面との接触面積が広くなると共に接触面圧の均一化が図れる。すなわち、外側ブームに対する内側ブームのスライド動作がより滑らかなものとなる。
【００１６】
請求項３の発明では、前記スライドプレート構成体の前記平板面の溝と直交する前記スライドプレート母材の端面に前記平板面に平行に溝を形成し、さらに前記端面の溝に抜け止め材を嵌入し前記スライドプレート構成体と一体に折り曲げるようにしたので、万一スライドプレート構成体が折り曲げた溝に沿って破断した場合であってもスライドプレート構成体の一部が抜け落ちることが防止される。
【００１７】
請求項４の発明では、前記スライドプレート構成体が長方形平板状のスライドプレート母材の平板面に、前記長方形の一辺に平行な溝を形成して構成されているので、前記溝に沿って容易に外側ブームの略Ｕ字状の下部内側面に沿うよう折り曲げることができる。そのため、外側ブームの基端部に配置することにより前記外側ブームの下部内側面に摺接して内側ブームがスライド自在に支持されるようにすることができる。なお、スライドプレート構成体自身の加工が容易な点、及びブームへの組付け及び隙間調整が容易な点は請求項１の発明と同じである。
【発明を実施するための最良の形態】
【００１８】
図１は、本願の発明に係るスライド装置を備えた伸縮ブームであって、略Ｕ字状の下部形状を持つ筒状の外側ブーム内１１に同様の下部形状を持つ筒状の内側ブーム１２を伸縮自在に嵌挿してなる伸縮ブーム１０を示している。
【実施例１】
【００１９】
図２は図１のＡ−Ａ矢視図であって、前記外側ブーム１１の先端部に配置されて前記内側ブーム１２の下部外側面に摺接して内側ブーム１２をスライド自在に支持する外側ブーム先端下部のスライド装置１３を示す。伸縮ブーム１０の内側ブーム１２は、大きな半径Ｒの円弧が左右に形成された全体として略Ｕ字状の下部形状を持っている。前記外側ブーム１１の先端部には、前記内側ブームの左右の円弧に合わせて、左右１対の前記スライド装置１３が配置されている。
【００２０】
図３は図２の図面に向かって左のスライド装置１３の詳細図である。１４はスライドプレート構成体１４であって、スライドプレート母材の一方の平板面に複数の溝を形成し、当該溝が形成された面が閉じるよう折り曲げられている。スライドプレート構成体１４は、外側ブーム１１の先端部に配置されて前記内側ブーム１２の下部外側面に摺接して内側ブーム１２をスライド自在に支持している。
【００２１】
１５は外側ブーム先端の保持プレートであって、請求項１に記載されたスライドプレート保持手段の一部を構成するものである。前記保持プレート１５には取付け用穴が明けられており、一方の外側ブーム先端外側の鉢巻き状に取付けられた外側ブーム先端部材１６には複数個のネジ穴１７が切られており、そのネジ穴１７にボルト１８をねじ込むことにより前記保持プレート１５が外側ブーム１１先端部に取付けられる。保持プレート１５は、内側ブーム１２下部の曲げ半径Ｒにほぼ等しい円弧形状の保持のための辺１９を有しており、図３に示した取付け状態で当該保持のための辺１９が前記スライドプレート構成体１４の厚さ方向の中ほどに位置するようになっている。こうして保持プレート１５によりスライドプレート構成体１４の外側ブーム１１先端方向への抜け出しが規制される。
【００２２】
２０と２１は外側ブーム先端部の内面に固着された保持部材であって、請求項１に記載されたスライドプレート保持手段の一部を構成するものである。前記保持部材２０は外側ブーム先端下部１１ａの内面に固着されており、前記保持部材２１は外側ブーム先端側部１１ｂの内面に固着されている。前記スライドプレート構成体１４は、前記保持部材２０と２１によって挟まれた位置に配置されている。これにより、スライドプレート構成体１４の外側ブーム１１断面左右及び上下方向への移動が規制される。
【００２３】
図４は外側ブーム先端のスライド装置１３の斜視図であって、内側ブーム１２を抜き去った状態で示している。また、図５は図４の状態から外側ブーム先端の保持プレート１５を取り外し、さらにスライドプレート構成体１４を取り外した時の斜視図である。
【００２４】
図５に示されるように前記保持部材２０、２１は断面が正方形の細長い部材であって、外側ブーム１１の先端部内面に外側ブーム１１の軸方向に沿うよう固着されている。２２は外側ブーム先端部内方部の保持部材であって、外側ブーム１１の下部内面の円弧に沿って複数の部材が等間隔に固着されている。スライドプレート構成体１４の外側ブーム先端から内方への移動は、上記保持部材２２によって規制される。従来のスライド装置では、ばらばらな複数の短冊状のスライドプレート単位体を保持する必要があったため、外側ブーム１１内方への移動規制のために上記保持部材２２以外にもスライドプレート単位体が並べられる全長に渡って連続した別の保持部材が必要であった。しかし、本願発明のスライド装置１３では、スライドプレート構成体１４が連続した一体ものであるので上記保持部材２２のみで保持することが可能である。
【００２５】
図５に示した保持部材２０、２１、２２及び図４に示した保持プレート１５によって、請求項１に記載のスライドプレート保持手段が構成されている。
【００２６】
図６はスライドプレート構成体１４と抜け止め材２３を示したものであって、（ａ）図はその平面図、（ｂ）図と（ｃ）図はその側面図である。図７は図６の（ｂ）図の左方端部の詳細図であり、図８は図６の（ｃ）図の上方端部の詳細図である。
【００２７】
スライドプレート構成体１４は、縦Ｅ×横Ｆの寸法の長方形平板状のスライドプレート母材を加工して製作される。スライドプレート母材の材質としては、鋼に対して低い摩擦係数を有すること、対磨耗性を有することに加えて、さらに溝加工が可能であること、溝に沿って折り曲げても破断しない適度の弾性とねばり強さを有していることが必要とされる。このような性質を備えたものとしてナイロンなどが選択される。図６に示すように、スライドプレート構成体１４は、長方形平板状のスライドプレート母材の一方の平板面２８に、前記長方形の一辺２４に平行な１５本の溝２５が縦方向の長さＥ全長に渡って形成されている。また、前記１５本の溝２５は、スライドプレート母材の横方向の長さＦに対して等間隔に形成されている。
【００２８】
図７に示すように、溝２５は幅Ｗ１、深さＤ１の長方形状で、間隔Ｐで形成されている。溝の深さＤ１については、スライドプレート母材の厚さＴに対して残りの部分の厚さＢが、スライドプレート構成体１４全体の折り曲げ易さ、強度等を有するよう決定される。また、溝の幅Ｗ１と間隔Ｐについては、母材の高さＴも考慮しつつ、溝２５が形成された側の面が閉じるよう折り曲げられた場合にも溝２５の上部がつぶれてしまわないような寸法が選択される。
【００２９】
なお、上記実施例では溝形状が長方形の場合を説明したが、他に底部の形状を円弧状としても良く、溝の全体形状がＶ字状であっても良い。また、溝同士が等間隔に形成される場合を説明したが、不等間隔であっても良い。さらに、上記実施例では長方形平板状のスライドプレート母材の一方の平板面２８にのみ溝を形成する場合を説明したが、両方の平板面に互い違いに溝を形成しても良い。この場合には、スライドプレート部材１４を折り曲げたときに、閉じる側の面の溝はその先端部は閉じるようになり、開く側の面の溝はその先端部が開くようになる。
【００３０】
以上のように、対磨耗性の観点から通常適度な硬度が要求されるスライドプレート母材が、そのままでは伸縮ブームの略Ｕ字状の下部形状に沿うよう折り曲げるのが不可能であるが、スライドプレート母材の平板面に溝を形成することにより容易に折り曲げが可能となることに着目したところに本願発明の技術的思想の本質の一端が有る。したがって、当該技術的思想が同一の範囲での多様な改変した実施の形態が可能である。
【００３１】
図８に示すように、平板面２８の前記溝２５と直行する前記スライドプレート母材の端面２７に、前記平板面２８に平行に溝２６が形成されている。溝２６は、前記折り曲げ用の溝２５が形成された側の平板面２８と反対側の平板面２９側に近接した距離Ｈの位置に幅Ｗ２、深さＤ２の寸法でスライドプレート母材の幅Ｆ全長に渡って形成されている。この溝２６は後述する抜け止め材を嵌挿するための溝である。なお、３９はスライドプレート構成体１４の摺接面となる平板面２８の端部に形成されたテーパ面である。
【００３２】
図６の（ａ）図に示す抜け止め材２３は幅が前記溝２６の深さと同じＤ２であって、厚さが前記溝の幅と同じＷ２であり、その全長がスライドプレート構成体１４の幅と同じＦの各寸法を備えた部材である。抜け止め材２３には、圧延鋼板などの曲げ塑性と強度を備えた材料が選択される。図２〜図４に示したスライド装置の組付けにあたっては、前もって前記抜け止め材２３をスライドプレート構成体１４の端面２７の溝２６に嵌入し、スライドプレート構成体１４と抜け止め材２３とを一体に折り曲げる。そして、前記抜け止め材２３が嵌入された端面２７が外側ブーム１１先端部の内方になるように、前記スライドプレート構成体１４を外側ブーム先端部に装着する。
【００３３】
これにより、抜け止め部材２３は図５に示す前記保持部材２２に接触するようになるので、外側ブーム１１先端部の内方への移動が規制されるようになる。そして、仮にスライドプレート構成体１４の一部が折り曲げの溝２５部分で折損した場合にも前記抜け止め部材２３により折損部分が外側ブーム１１の先端部内方へ移動することが規制され、スライドプレート構成体全体としての機能を維持することができる。
【００３４】
上述したスライドプレート装置を装着した伸縮ブーム１０の隙間調整は、厚さの異なるスライドプレート構成体１４を複数用意しておき、最適な厚さのものを選択することにより行う。すなわち、外側ブーム１１に内側ブーム１２を嵌挿したのち、適当な厚さのスライドプレート構成体１４を外側ブーム先端下部の所定の位置に仮に配置し、その時の外側ブーム１１と内側ブーム１２との間の隙間を測定する。その結果から最適な隙間となる厚さのスライドプレート構成体１４を選択し、前記仮のスライドプレート構成体１４と交換する。この時の交換作業は、従来の特許文献１のスライド装置が多数の短冊状スライドプレート単位体から構成されていたのに対し、１枚の一体のスライドプレート構成体１４を交換すれば良いので、非常に短時間でスムーズに行うことが可能である。そのため、内側ブーム１２の下部外側面とスライド手段との隙間調整が容易かつ確実に行えるものとなる。
【実施例２】
【００３５】
図９は図１のＢ−Ｂ矢視図であって、内側ブーム基端部１２ｂに配置されるスライド装置３０を示す図である。当該スライド装置３０が前記外側ブーム１１の下部内側面に摺接して、内側ブーム基端部１２ｂがスライド自在に支持されるようになっている。
【００３６】
図９に示されるように、内側ブーム基端部１２ｂの略Ｕ字状の下部形状を形作る左右の半径Ｒの円弧の中央付近に左右１対のスライド装置３０がそれぞれ装着されている。図１０は図９の向かって左側のスライド装置３０の拡大詳細図である。３１は長方形平板状のスライドプレート母材に、前記長方形の一辺に平行な溝を形成したスライドプレート構成体である。また、３２は前記溝に沿って折り曲げられた前記スライドプレート構成体３１を、前記内側ブーム基端部１２ｂに取付ける取付け部材である。この取付け部材３２は、請求項４に記載のスライドプレート保持手段に該当するものである。内側ブーム基端部１２ｂには穴３３が明けられており、前記取付け部材３２のネジ部が前記穴３３に通される。そして、前記ネジ部にはナット３４が掛けられ、締め付けられる。図１０に示した外側ブーム１１と内側ブーム基端部１２ｂとの隙間は、スライド装置３０の上方の隙間Ｃ１がスライド装置３０の下方の隙間Ｃ２よりも大きくなっている。
【００３７】
図１１は内側ブーム基端部１２ｂに配置されるスライドプレート構成体３１を示したものであって、（ａ）図はその平面図、（ｂ）図と（ｃ）図はその側面図である。
【００３８】
スライドプレート構成体３１は、縦Ｇ×横Ｈの寸法の長方形平板状のスライドプレート母材を加工して製作される。実施例２でのスライドプレート構成体３１は実施例１のスライドプレート構成体１４と比較して、その長方形平板面の面積が小さなものとなっている。これは、実施例１のスライドプレート構成体１４が外側ブーム先端下部に配置され内側ブームを摺接支持するものであるため、伸縮ブーム１０の伸縮動作時及びブーム作業時に非常に大きな反力を支持する必要があり、そのため支持面圧を必要な所定値以下にするには大きな面積が必要となるからである。一方、実施例２のスライドプレート構成体３１は、内側ブーム基端部下方に配置され外側ブーム内面と摺接して内側ブーム基端部を支持するものであるため、基本的に内側ブーム２の自重のみを支持すればよく、大きな荷重が作用するものでは無い。そのため、実施例２に係る内側ブーム基端下部に配置されるスライドプレート構成体３１の長方形平板面の面積が小さなものとなっている。
【００３９】
スライドプレート母材の材質等の要求される性質は、外側ブーム先端のスライドプレート構成体１４と同じである。図１１に示すように、スライドプレート構成体３１は、長方形平板状のスライドプレート母材の一方の平板面３７に、前記長方形の一辺３８に平行な３本の溝３５が縦方向の長さＧ全長に渡って形成されている。そして、当該溝３５は横方向の長さＨに対して等間隔に形成されている。スライドプレート構成体３１の溝３５が形成された側の平板面３７の中央には後述する取付け部材３２に合わせた形状で一定の深さの凹部３６が形成されている。当該凹部３６には、取付け部材３２のネジ部が通過するための穴３７が明けられている。
【００４０】
（ｂ）図に示すように、スライドプレート構成体３１は左端の厚さがＴ１で右端の厚さＴ２よりも大きくなっており、側面から見て全体としてテーパ形状となっている。このようにテーパ状としたので、上述したようにスライドプレート構成体３１が配置される外側ブーム１１と内側ブーム基端部１２ｂとの隙間が均一でないものであっても、スライドプレート構成体３１の摺接面（平板面３７）と外側ブーム下部内側面との隙間を均一なものとすることができる。
【００４１】
図１２は前記取付け部材３２を説明する図である。そして、（ａ）図はその平面図であり、（ｂ）図は側面図である。４０は圧延鋼板などで製作される横長帯状の薄板部であり、４１はネジ部である。２個所のネジ部４１は前記薄板部４０の両端部に、それぞれ薄板部４０に直交する方向に溶接等で取付けられている。
【００４２】
内側ブーム基端部１２ｂへのスライドプレート構成体３１の取付けにあたっては、まず取付け部材３２のネジ部４１をスライドプレート構成体３１の穴３７に通しながら、取付け部材３２の平板部４０をスライドプレート構成体３１の凹部３６にはめ込む。そののち、スライドプレート構成体３１の溝３５が形成されている側の平板面３７が広がるように、溝３５に沿ってスライドプレート構成体３１を折り曲げる。その際、組み込んでいる前記取付け部材３２の薄板部４０も一緒に折り曲げる。そして、図１０に示すように取付け部材３２のネジ部４１を内側ブーム基端部１２ｂの前記穴３３に通したのち、ナット３４を締めてしっかりと取り付ける。
【図面の簡単な説明】
【００４３】
【図１】本願の発明に係るスライド装置を備えた伸縮ブームである。
【図２】図１のＡ−Ａ矢視図である。
【図３】スライド装置１３の詳細図である。
【図４】外側ブーム先端のスライド装置１３の斜視図である。
【図５】保持プレート１５とスライドプレート構成体１４を取り外した時の斜視図である。
【図６】スライドプレート構成体１４と抜け止め材２３を示したものである。
【図７】図６の（ｂ）図の左方端部の詳細図である。
【図８】図６の（ｃ）図の上方端部の詳細図である。
【図９】図１のＢ−Ｂ矢視図であって、内側ブーム基端部１２ｂに配置されるスライド装置３０を示す図である。
【図１０】図９の向かって左側のスライド装置３０の拡大詳細図である。
【図１１】スライドプレート構成体３１を示した図である。
【図１２】取付け部材３２を説明する図である。
【図１３】特許文献１に記載された外側ブーム先端下部スライド装置を装備した伸縮ブームの側面である。
【図１４】図１３のＡ−Ａ矢視断面拡大図である。
【図１５】図１３の外側ブーム先端部の拡大断面図である。
【符号の説明】
【００４４】
１０：伸縮ブーム
１１：外側ブーム
１２：内側ブーム
１３：スライド装置
１４：スライドプレート構成体
２０：保持部材（スライドプレート保持手段）
２１：保持部材（スライドプレート保持手段）
２２：保持部材（スライドプレート保持手段）
２３：抜け止め材（スライドプレート保持手段）
２５：溝
２６：溝
３０：スライド装置
３１：スライドプレート構成体
３２：取付け部材（スライドプレート保持手段）
３５：溝
【図１】
2008265980.tif 000003
【図２】
2008265980.tif 000004
【図３】
2008265980.tif 000005
【図４】
2008265980.tif 000006
【図５】
2008265980.tif 000007
【図６】
2008265980.tif 000008
【図７】
2008265980.tif 000009
【図８】
2008265980.tif 000010
【図９】
2008265980.tif 000011
【図１０】
2008265980.tif 000012
【図１１】
2008265980.tif 000013
【図１２】
2008265980.tif 000014
【図１３】
2008265980.tif 000015
【図１４】
2008265980.tif 000016
【図１５】
2008265980.tif 000017